(57)【特許請求の範囲】
【請求項１】
雄型管継手部材を受け入れる管状の雌型継手本体であって、外周面に周方向で連続して設けられた第１面と、該第１面よりも半径の小さい第２面とを有する雌型継手本体と、
雌型継手本体に半径方向で変位可能に装着された施錠子であって、該雌型継手本体内に挿入された雄型管継手部材と係合して該雄型管継手部材を施錠するための半径方向内側位置と、該雄型管継手部材の施錠を解除するための半径方向外側位置との間で変位可能な施錠子と、
該雌型継手本体の外周面上に設けられ、該施錠子を該半径方向内側位置に保持するための施錠保持位置と、該施錠子が該半径方向外側位置に変位するのを許容する解錠許容位置との間を当該雌型継手本体の軸線方向で変位可能とされたスリーブと、
該スリーブに設けられ、該雌型継手本体の外周面と摺動可能とされ、且つ、バネ付勢力により該外周面に押圧されているスリーブ変位阻止部材と、
該スリーブが施錠保持位置にあるときの該スリーブ変位阻止部材よりも、解錠許容位置側の位置で該雌型継手本体に設けられた係止部と
該スリーブが周方向で回動可能とされ、
施錠保持位置にあるときのスリーブが該雌型継手本体に対して周方向で回動されたときに、該スリーブ変位阻止部材は、該バネ付勢力により、該第１面と係合することにより第１形状となり、該第２面に係合することにより第２形状となり、該スリーブ変位阻止部材が、回動されることにより該第１形状及び第２形状の一方の形状となることにより該雌型継手本体に設けられた該係止部と軸線方向で係合可能となり、それにより、該スリーブが施錠保持位置から該解錠許容位置に軸線方向で変位するのを阻止するようになされていることを特徴とする雌型管継手部材。
【請求項２】
該係止部が、該雌型継手本体の外周面から半径方向外側に延びるように設けられ、
該スリーブ変位阻止部材は、該第１形状のときに該スリーブから半径方向外側に突出する部分を有し、該スリーブが該施錠保持位置から該解錠許容位置に軸線方向で変位しようとするときに該部分が該係止部に係止することにより、該スリーブの該変位を阻止するようにした請求項１に記載の雌型管継手部材。
【請求項３】
該係止部が、該雌型継手本体の外周面に該雌型継手本体と同心状に固定された筒状部材によって構成され、該筒状部材は、該スリーブ変位阻止部材が第２形状にあるときに、該該施錠保持位置から解錠許容位置に変位する該スリーブを受け入れる内径を有し、該スリーブ変位阻止部材が第１形状にあるときに、該施錠保持位置から該解錠許容位置に変位する該スリーブから半径方向外側に突出する該スリーブ変位阻止部材の該部分と係合して該スリーブの変位を阻止するようにされている請求項２に記載の雌型管継手部材。
【請求項４】
該施錠保持位置にあるときの該スリーブが周方向で回動されたときに該スリーブ変位阻止部材と摺動する該雌型継手本体の外周面が全体的に円周面とされ、該円周面が該円周面に対して弦をなすような平面状に延びる面を有するようにされ、該円周面が該第１面、該平面状に延びる面が第２面とされている請求項１乃至３のいずれかに記載の雌型管継手部材。
【請求項５】
スリーブ変位阻止部材が、該雌型継手本体の軸線に平行な方向に延びる軸線の回りでコイル状に巻かれ、該スリーブにその半径方向で貫通するように形成された開口内に設定され、一部が該開口から半径方向外側に突出するように設定されたコイル部、及び、該コイル部の両端から該スリーブ内に、当該コイル部をその軸線方向で見て、相互に離れるように延び、該雌型継手本体の該外周面の該第１面の該円周面と接線方向で接するように延びる両端部を有するバネ材から形成され、該スリーブが施錠保持位置から該解錠許容位置に軸線方向で変位しようとするときに、該開口から半径方向外側に突出するように設定されたコイル部の該一部が該係止部に係止することにより、該スリーブの該変位を阻止するようにされ、
該スリーブが回動されて該コイルの該両端部が該第２面と係合する位置とされたときに、該スリーブ変位阻止部材が該第２形状に変形して該コイル部の該一部が該スリーブの該開口内に引き込まれるようにされた請求項２又は３に記載の雌型管継手部材。
【請求項６】
スリーブ変位阻止部材が、該スリーブにその半径方向で貫通するように形成された開口内に半径方向で摺動可能に設けられた摺動ピン、及び、該摺動ピンと該スリーブとの間に設けられて該摺動ピンを半径方向内側に付勢し、該摺動ピンが該雌型継手本体の該外周面と摺動可能に係合するようにするバネ部材からなり、該摺動ピンは、該第１面と係合する位置とされているときには、該バネ付勢力に抗して押し出され、一部が該開口から半径方向外側に突出するようになされ、該スリーブが施錠保持位置から該解錠許容位置に軸線方向で変位しようとするときに、該一部が該係止部に係止することにより、該スリーブの該変位すを阻止するようにされ、該第２面と係合する位置とされているときには、該一部が該開口の内側に引き込まれるようにされている請求項２又は３に記載の雌型管継手部材。
【請求項７】
該施錠保持位置にあるときのスリーブが周方向で変位されたときに該スリーブ変位阻止部材と摺動する該雌型継手本体の該外周面が全体的に円周面とされ、該円周面が該円周面に対して弦をなすような平面状に延びる面と、該平面状に延びる面の該スリーブの該開錠許容位置側で該弦をなす方向に延びる縁から半径方向外側に延びて該係止部をなす側面とを有する凹部を有し、該平面状に延びる面が該第２面をなし、該平面状に延びる面の周方向で前後の該円周面が該第１面をなし、該スリーブ変位阻止部材は、該平面状に延びる面と係合して該第２形状とされて該係止部としての該側面と係合可能となることにより、スリーブが施錠保持位置から該解錠許容位置に軸線方向で変位するのを阻止するようにした請求項１に記載の雌型管継手部材。
【請求項８】
スリーブ変位阻止部材が、該雌型継手本体の軸線に平行な方向に延びる軸線の回りでコイル状に巻かれ、該スリーブにその半径方向で貫通するように形成された開口内に設定されたコイル部、及び、該コイル部の両端から該スリーブ内に、当該コイル部をその軸線方向で見て、相互に離れるように延び、該雌型継手本体の該外周面の第１面と接線方向で接するように延びる両端部を有するバネ材から形成され、
該スリーブが回動されて該コイルの該両端部が該第２面と係合する位置とされたときに、該スリーブ変位阻止部材が該第２形状に変形するようにされた請求項７に記載の雌型管継手部材。
【請求項９】
該円周面から該弦をなすように平面状に延びる面が、その弦をなすように延びる方向での一方の端部側に段部を有し、該段部を介して該円周面に接続されるようになされており、該スリーブが回動されて、該スリーブに設けられている該スリーブ変位阻止部材が該平面状に延びる面にその他端側から入ってきたときに該段部によって係止され、スリーブの回動が阻止されるようにした請求項４又は７に記載の雌型管継手部材。
【請求項１０】
請求項１乃至９のいずれかに記載の雌型管継手部材と、該雌型管継手部材の該貫通孔内に摺動挿入されるようにした雄型管継手部材であって、雌型管継手部材の該施錠子が該半径方向位置にされたときに該施錠子を受け入れる環状凹部を有する雄型管継手部材とを有する管継手。
【発明の詳細な説明】
【技術分野】
【０００１】
本発明は管継手の雌型管継手部材に係り、特に、当該雌型管継手部材に挿入された雄型管継手部材と係合して該雄型管継手部材を施錠する（すなわち、雌型管状管継手に対して固定する）ための半径方向で変位可能な施錠子と、当該雌型管継手部材の外周面上に設けられ、雄型管継手部材を施錠する位置に施錠子を保持する施錠保持位置と同施錠子の解錠（すなわち、雄型管継手部材の雌型管状管継手に対する固定の解除）を許容する解錠許容位置との間を軸線方向で変位可能とされたスリーブとを有する雌型管継手部材、及び、該雌型管継手部材を備えた管継手に関する。
【背景技術】
【０００２】
この種の雌型管継手部材は、施錠保持位置とされたスリーブが解錠許容位置に不用意に変位するのを阻止するための種々の手段が開発されてきている。
【０００３】
１つの例は、雌型管継手部材の外周面に、施錠保持位置とされたスリーブの一端縁に隣接する突起（スリーブ変位阻止部材）を設けて、該スリーブが解錠許容位置に向けて動こうとしても、該スリーブの該一端縁が該突起によって係止されるようにすると共に、該スリーブの該一端縁の周方向の所定位置に軸方向に延びる凹部を設け、スリーブを該凹部が該突起と軸線方向で整合するようにしたときにだけ、該凹部が該突起を受け入れるようにして、該スリーブを解錠許容位置に向けて軸線方向で動けるようにしたものがある（特許文献１参照）。
【０００４】
この場合の突起は、雌型管継手部材の外周面にボールを埋め込んだり、ピンを植設したりして形成するのが一般的である。このため、これら突起が外れてしまう虞がある。また、凹部には切り子などの異物が入りやすく、操作に支障を来す虞もある。
【０００５】
別の例としては、雌型管継手部材に半径方向で変位可能とされたスリーブ変位阻止部材を設け、該スリーブ変位阻止部材が解錠許容位置に向けて動こうとするスリーブの一端縁に係合して該スリーブの動きを阻止すると共に、スリーブを解錠許容位置にするときには、作業者が手で該スリーブ変位阻止部材を半径方向内側に押し込んで、スリーブの変位を可能とするようにしたものがある（特許文献２〜４参照）。
【０００６】
この形式のものにおいては、スリーブを解錠許容位置に動かすときに、スリーブを持って動かす手とは別の手でスリーブ変位阻止部材を動かさなくてはならず、作業が煩わしくなる。
【先行技術文献】
【特許文献】
【０００７】
【特許文献１】実開昭５１−６９１１９
【特許文献２】特開平１０−１８５０５６
【特許文献３】特開平１１−３７３７０
【特許文献４】特開２０００−２４９２８０
【発明の概要】
【発明が解決しようとする課題】
【０００８】
本発明は、上記に鑑み、長期間使用されてもスリーブ変位阻止部材が外れたりする虞がなく、また、スリーブを解錠許容位置に変位するときの作業が簡単に行えるようにした雌型管継手部材及びそれを備えた管継手を提供することを目的とする。
【課題を解決するための手段】
【０００９】
すなわち、本発明は、
雄型管継手部材を受け入れる管状の雌型継手本体であって、外周面に周方向で連続して設けられた第１面と、該第１面よりも半径の小さい第２面とを有する雌型継手本体と、
雌型継手本体に半径方向で変位可能に装着された施錠子であって、該雌型継手本体内に挿入された雄型管継手部材と係合して該雄型管継手部材を施錠するための半径方向内側位置と、該雄型管継手部材の施錠を解除するための半径方向外側位置との間で変位可能な施錠子と、
該雌型継手本体の外周面上に設けられ、該施錠子を該半径方向内側位置に保持するための施錠保持位置と、該施錠子が該半径方向外側位置に変位するのを許容する解錠許容位置との間を当該雌型継手本体の軸線方向で変位可能とされたスリーブと、
該スリーブに設けられ、該雌型継手本体の外周面と摺動可能とされ、且つ、バネ付勢力により該外周面に押圧されているスリーブ変位阻止部材と、
該スリーブが施錠保持位置にあるときの該スリーブ変位阻止部材よりも、解錠許容位置側の位置で該雌型継手本体に設けられた係止部と
該スリーブが周方向で回動可能とされ、
施錠保持位置にあるときのスリーブが該雌型継手本体に対して周方向で回動されたときに、該スリーブ変位阻止部材は、該バネ付勢力により、該第１面と係合することにより第１形状となり、該第２面に係合することにより第２形状となり、該スリーブ変位阻止部材が、回動されることにより該第１形状及び第２形状の一方の形状となることにより該雌型継手本体に設けられた該係止部と軸線方向で係合可能となり、それにより、該スリーブが施錠保持位置から該解錠許容位置に軸線方向で変位するのを阻止するようになされていることを特徴とする雌型管継手部材を提供する。
【００１０】
この雌型管継手部材においては、スリーブ変位阻止部材がスリーブ自体に取りつけられており、該スリーブを回動することによって、当該スリーブ変位阻止部材を操作するようにしている。従って、該スリーブ変位阻止部材の操作が上述の二番目に述べた従来の雌型管継手部材に比べて容易になる。なお、上記において「該第２面が該第１面よりも半径が小さく」とあるのは、第２面の雌型継手部材の軸線からの距離が、第１面よりも小さいことを意味し、必ずしもこれらの面が円弧状であることを意味するものではない。
【００１１】
具体的例としては、
該係止部が、該雌型管継手部材の外周面から半径方向外側に延びるように設けられ、
該スリーブ変位阻止部材は、該第１形状のときに該スリーブから半径方向外側に突出する部分を有し、該スリーブが該施錠保持位置から該解錠許容位置に軸線方向で変位しようとするときに、該部分が該係止部に係止することにより、該スリーブの該変位を阻止するようにすることができる。
【００１２】
より具体的には、該係止部が、該雌型継手本体の外周面に該雌型継手本体と同心状に固定された筒状部材によって構成され、該筒状部材は、該スリーブ変位阻止部材が第２形状にあるときに、該施錠保持位置から解錠許容位置に変位する該スリーブを受け入れる内径を有し、該スリーブ変位阻止部材が第１形状にあるときに、該施錠保持位置から該解錠許容位置に変位する該スリーブから半径方向外側に突出する該スリーブ変位阻止部材の該部分と係合して該スリーブの変位を阻止する。
【００１３】
これらの具体例では、スリーブ変位阻止部材の一部がスリーブから半径方向外側に突出した状態で、係止部と係合可能となり当該スリーブの軸線方向での動きを阻止できるようにするものである。
【００１４】
また別の具体例としては、
該施錠保持位置にあるときの該スリーブが周方向で回動されたときに該スリーブ変位阻止部材と摺動する該雌型継手本体の外周面が全体的に円周面とされ、該円周面が該円周面に対して弦をなすような平面状に延びる面を有するようにされ、該円周面が該第１面、該平面状の面が該第２面となるようにすることができる。
【００１５】
この場合、スリーブ変位阻止部材が、該雌型継手本体の軸線に平行な方向に延びる軸線の回りでコイル状に巻かれ、該スリーブにその半径方向で貫通するように形成された開口内に設定され、一部が該開口から半径方向外側に突出するように設定されたコイル部、及び、該コイル部の両端から該スリーブ内に、当該コイル部をその軸線方向で見て、相互に離れるように延び、該雌型継手本体の該外周面の該第１面の該円周面と接線方向で接するように延びる両端部を有するバネ材から形成され、該スリーブが施錠保持位置から該解錠許容位置に軸線方向で変位しようとするときに、該開口から半径方向外側に突出するように設定されたコイル部の該一部が該係止部に係止することにより、該スリーブの該変位を阻止するようにされ、
該スリーブが回動されて該コイルの該両端部が該第２面と係合する位置とされたときに、該スリーブ変位阻止部材が該第２形状に変形して該コイル部の該一部が該スリーブの該開口内に引き込まれるようにすることができる。
すなわち、スリーブ変位阻止部材をバネ材で捻りバネ状に形成するものであり、その両端は当該スリーブ変位阻止部材が取りつけられるスリーブの内部に延びるように設定されるので、長期間使用しても、該スリーブ変位阻止部材が該スリーブから外れる可能性を少なくすることができる。
【００１６】
また別の形態としては、スリーブ変位阻止部材が、該スリーブにその半径方向で貫通するように形成された開口内に半径方向で摺動可能に設けられた摺動ピン、及び、該摺動ピンと該スリーブとの間に設けられて該摺動ピンを半径方向内側に付勢し、該摺動ピンが該雌型継手本体の該外周面と摺動可能に係合するようにするバネ部材からなり、該摺動ピンは、該第１面と係合する位置とされているときには、該バネ付勢力に抗して押し出され、一部が該開口から半径方向外側に突出するようになされ、該スリーブが該施錠保持位置から該解錠許容位置に軸線方向で変位しようとするときに、該一部が該係止部に係止することにより、該スリーブの該変位すを阻止するようにされ、該第２面と係合する位置とされているときには、該一部が該開口の内側に引き込まれるようにすることができる。
【００１７】
上記具体例においては、スリーブ変位阻止部材と係合して、スリーブの変位を阻止する係止部を、雌型継手本体の外周面から外側に延びるものとしたが、別の形態として次のようにすることができる。該施錠保持位置にあるときのスリーブが周方向で変位されたときに該スリーブ変位阻止部材と摺動する該雌型継手本体の該外周面が全体的に円周面とされ、該円周面が該円周面に対して弦をなすような平面状に延びる面と、該平面状に延びる面の該スリーブの該開錠許容位置側で該弦をなす方向に延びる縁から半径方向外側に延びて該係止部をなす側面とを有する凹部を有し、該平面状に延びる面が該第２面をなし、該平面の周方向で前後の該円周面が該第１面をなし、該スリーブ変位阻止部材は、該平面状に延びる面と係合して該第２形状とされて該係止部としての該側面と係合可能となることにより、スリーブが施錠保持位置から該解錠許容位置に軸線方向で変位するのを阻止するようにすることができる。
【００１８】
要するに、この実施形態では、スリーブ変位阻止部材が、半径方向内側に変位するように変形したときに、該スリーブ変位阻止部材が係止部に係合するようにしている。
【００１９】
具体的には、スリーブ変位阻止部材が、該雌型継手本体の軸線に平行な方向に延びる軸線の回りでコイル状に巻かれ、該スリーブにその半径方向で貫通するように形成された開口内に設定されたコイル部、及び、該コイル部の両端から該スリーブ内に、当該コイル部をその軸線方向で見て、相互に離れるように延び、該雌型継手本体の該外周面の第１面と接線方向で接するように延びる両端部を有するバネ材から形成され、
該スリーブが回動されて該コイルの該両端部が該第２面と係合する位置とされたときに、該スリーブ変位阻止部材が該第２形状に変形するようにすることができる。
【００２０】
上述の円周面を第１面とし、平面状に延びる面を第２面とする雌型管継手部材においては、該円周面から該弦をなすように平面状に延びる面が、その弦をなすように延びる方向での一方の端部側に段部を有し、該段部を介して円周面に接続されるようになされており、該スリーブが回動されて、該スリーブに設けられている該スリーブ変位阻止部材が該面状に延びる面にその他端側から入ってきたときに該段部によって係止され、スリーブの回動が阻止されるようにすることができる。
【００２１】
このようにすることにより、スリーブ変位阻止部材を第２面である平面状に延びる面と確実に係合する位置とすることができる。
【００２２】
本発明はまた、上記のような雌型管継手部材と、該雌型管継手部材の該貫通孔内に摺動挿入されるようにした雄型管継手部材であって、雌型管継手部材の該施錠子が該半径方向位置にされたときに該施錠子を受け入れる環状凹部を有する雄型管継手部材を有する管継手をも提供する。
【００２３】
以下、本発明に係る雌型管継手部材及びそれを備えた管継手の実施形態を添付図面に基づき説明する。
【図面の簡単な説明】
【００２４】
【図１】本発明の第１の実施形態に係る雌型管継手部材を備えた管継手の縦断面図であり、スリーブ変位阻止部材が雌型継手本体に設けた係止部によって係止されない状態を示す。
【図２】図１の雌型管継手部材の縦断面図であり、該スリーブ変位阻止部材が係止部によって係止される状態を示す。
【図３】図２におけるIII-III線断面図である。
【図４】図１におけるIV-IV線断面図である。
【図５】図１の雌型管継手部材におけるスリーブ変位阻止部材の平面図である。
【図６】図１の雌型管継手部材におけるスリーブ変位阻止部材の側面図である。
【図７】第２の実施形態に係る雌型管継手部材の縦断面図であり、スリーブ変位阻止部材が雌型継手本体に設けた係止部によって係止されない状態を示す。
【図８】図７におけるVII-VII線断面図である。
【図９】第２の実施形態に係る雌型管継手部材の縦断面図であり、スリーブ変位阻止部材が雌型継手本体に設けた係止部によって係止される状態を示す。
【図１０】図９におけるX-X線断面図である。
【図１１】図７の雌型管継手部材におけるスリーブ変位阻止部材を構成する摺動ピンの側面図である。
【図１２】図７の雌型管継手部材におけるスリーブ変位阻止部材を構成するコイルバネの側面図である。
【図１３】第３の実施形態に係る雌型管継手部材の縦断面図であり、スリーブ変位阻止部材が雌型継手本体に設けた係止部によって係止されない状態を示す。
【図１４】図１３におけるXIIII-XIIII線断面図である。
【図１５】第３の実施形態に係る雌型管継手部材の縦断面図であり、スリーブ変位阻止部材が雌型継手本体に設けた係止部によって係止される状態を示す。
【図１６】図１５におけるXVI-XVI線断面図である。
【図１７】第４の実施形態に係る雌型管継手部材の図３に類似する図である。
【図１８】第４の実施形態に係る雌型管継手部材の図４に類似する図である。
【図１９】図１７の雌型管継手部材におけるスリーブ変位阻止部材の平面図である。
【図２０】図１７の雌型管継手部材におけるスリーブ変位阻止部材の側面図である。
【図２１】第１の実施形態に係る雌型管継手部材の一部切り欠き側面図である。
【発明を実施するための形態】
【００２５】
図１に示す本発明に係る雌型管継手部材１０は、周知のものと同様に、挿入される雄型管継手部材１２をボール状の施錠子１４を用いて施錠すなわち連結固定する形式のものである。すなわち、この雌型管継手部材１０は、長手軸線方向で延びる貫通孔１８を有する管状の雌型継手本体１９を有し、該貫通孔１８内にその右端から雄型管継手部材１２を受け入れて、該雄型管継手部材１２の外周面に形成された環状の施錠凹部２０に施錠子１４を係合させ、該施錠子１４を雌型継手本体１９の外周に設けたスリーブ２２によって、当該施錠子１４が抜けでないようにすることにより、雄型管継手部材１２を雌型管継手部材１０に施錠するようになっている。尚、これら雌型管継手部材及び雄型管継手部材に通常設けられる弁装置の図示は省略している。
【００２６】
雄型管継手部材１２を雌型管継手部材１０内に挿入する場合には、作業者がスリーブ２２を軸線方向で図１の位置からコイルバネ２６に抗して左方へ摺動し、スリーブ２２の内周面に設けられている環状の施錠子解放凹部２４が、施錠子１４と半径方向で整合する位置とし、該施錠子１４が半径方向外側に変位可能として、雌型管継手部材１０へ挿入される雄型管継手部材１２が施錠子１４を半径方向外側に押しのけて挿入されるようにする。雄型管継手部材１２が雌型管継手部材１０内に挿入されて施錠凹部２０が施錠子１４と半径方向で整合した状態になると、スリーブ２２は作業者の手から離されることによりコイルバネ２６によって図１の位置に戻される。
【００２７】
雄型管継手部材１２を雌型管継手部材１０から外す場合には、作業者がスリーブ２２を軸線方向で図１の位置からコイルバネ２６に抗して左方へ摺動し、スリーブ２２の内周面に設けられている環状の施錠子解放凹部２４が、施錠子１４と半径方向で整合する位置とし、該施錠子が半径方向外側に変位可能として、雄型管継手部材１２の雌型管継手部材１０からの引き出しを可能とする。雄型管継手部材１２が雌型管継手部材１０から引き出され、作業者がスリーブ２２を離すことによりスリーブ２２はコイルバネ２６によって図１の位置に戻される。
【００２８】
以上から分かるように、上記雌型管継手部材の構成において、施錠子１４は、挿入された雄型管継手部材１２と係合して該雄型管継手部材１２を施錠するための半径方向内側位置（図１の位置）と、雄型管継手部材１２の施錠を解除するための半径方向外側位置との間で変位可能とされ、スリーブ２２は、雌型継手本体１９の外周面上に設けられ、施錠子１４を上記半径方向内側位置(図１の位置)に保持するための施錠保持位置(図１の位置)と、該施錠子１４が上記半径方向外側位置に変位するのを許容する解錠許容位置（すなわち、施錠子解放凹部２４が雄型管継手部材１２の施錠凹部２０と整合する位置）との間を当該雌型継手本体１９の軸線方向で変位可能とされている。
【００２９】
本願発明のこの実施形態に係る雌型管継手部材は、以下に述べるようにスリーブ２２が施錠保持位置（図１の位置）から左側に変位して、解錠許容位置になるのを阻止するためのスリーブ変位阻止手段を備える。
【００３０】
このスリーブ変位阻止手段は、スリーブ２２に設けられ、雌型継手本体１９の外周面に摺動可能とされた捻りバネ状のスリーブ変位阻止部材２８を有する。スリーブ２２は、周方向で回動可能とされ、該スリーブの回動によってスリーブ変位阻止部材が回動されるようになっている。施錠保持位置（図１及び図２の位置）にあるときのスリーブ２２が周方向で回動されたときにスリーブ変位阻止部材２８が摺動する雌型継手本体１９の外周面の周方向部分には、その周方向で連続して設けられた第１面３０と、該第１面よりも小さい半径の第２面３２とが設けられる。図示の例では、第１面３０は円周状面とされて直径方向で対向する位置に一対設けられ、第２面３２は第１面３０の円周状面に対して弦をなすように平面状に延びる面とされて直径方向で対向する位置に一対設けられている。後述するように、第１面３０はそれに係合するスリーブ変位阻止部材２８を該スリーブ変位阻止部材２８が雌型継手本体１９に設けられた筒状部材によって形成される係止部３４と軸線方向で係合可能な第１形状に変形させ、それにより、スリーブ２２が施錠保持位置(図１及び図２)から上記解錠許容位置に軸線方向で（図示の例では左方に）変位しようとするときに該スリーブ変位阻止部材２８が該係止部３４に係合して、スリーブ２２の変位を阻止するようになっている。第２面３２はそれに係合するスリーブ変位阻止部材２８を、該スリーブ変位阻止部材２８が雌型継手本体１９の係止部３４と軸線方向で係合しない第２形状に変形させ、それにより、スリーブ２２が施錠保持位置（図１及び図２）から解錠許容位置に軸線方向で（図示の例では左方に）変位するのを許容するようになされている。
【００３１】
スリーブ変位阻止部材２８は、雌型管継手部材１０の軸線に平行な方向に延びる軸線の回りでコイル状に巻かれ、該スリーブ２２にその半径方向で貫通するように形成された開口３６内に設定され、一部が該開口から半径方向外側に突出するように設定されたコイル部３８、及び、該コイル部３８の両端からスリーブ２２内に、当該コイル部をその軸線方向（図３で紙面の表裏方向）で見て、相互に離れるように延び、それぞれ、該雌型継手本体１９の外周面の第１面３０と接線方向で接するように延びる両端部４０を有するバネ材から形成されている。図２１に示すように、開口３６は、コイル部３８が設定される部分からスリーブ２２の図で見て左端縁まで延びるようにされており、スリーブ変位阻止部材２８を該開口内に設定するのを容易にしている。また、開口３６のコイル部３８が設定される部分に対応するスリーブ２２の内周壁には環状の凹部２２−１が設けられて薄肉とされ、バネ材の両端部４０が該環状の凹部２２−１内で延びて、雌型継手本体１９の外周面と係合するようにされており、更に、図５及び図６に示すように、バネ材の両端部４０の先端がコイル部３８の軸線と平行に該コイル部３８と略同じ長さだけ伸びる部分４０−１を含むＬ字状とされ、該Ｌ字状の部分が凹部２２−１の当該スリーブの軸線方向両側に形成される側壁２２−２，２２−３に係合することにより、該バネ部材がスリーブ２２に対して軸線方向で動かないようにされている。このバネ材は、両端部４０がなす夾角が広がるように付勢されており（図６参照）、コイルの該両端部４０が第２面３２と係合する位置となるようにスリーブ２２が回動されたときに、該スリーブ変位阻止部材２８がそのバネ力により変形して両端部４０がなす夾角が広がるように変形し、コイル部３８の、スリーブ２２の開口３６の外側に突出していた部分が該開口３６内に変位するようにされている。
【００３２】
上述のように、この実施形態においては、雌型継手本体１９に設けられる係止部３４は、雌型継手本体１９の外周面上に同心状にして取りつけられる筒状部材とされており、スリーブ２２を受け入れる内径を有しているが、スリーブ変位阻止部材２８が図２及び図３に示すような上述の第１形状にあるときは、スリーブ２２の開口３６から突出したコイル部３８の一部が、該筒状の係止部３４の端縁に係合するようになっている。
【００３３】
図７乃至図１０は、本発明に係る雌型管継手部材１０の第２の実施形態を示している。上述の第１の実施形態における雌型管継手部材１０と同じ若しくは類似の部材には、同じ参照番号を付して示した。
【００３４】
この雌型管継手部材１０は、いわゆるワンタッチ装着型のものである。すなわち、該雌型管継手部材１０は、第１の実施形態に係る雌型管継手部材１０における施錠子と同じ作用をなす施錠子１４の外に、該施錠子と同様のボール１１が設けられている。これは当業者には周知の雄型管継手部材のワンタッチ装着のためのものである。すなわち、ボール１１は、雌型管継手部材１０の周方向において、施錠子１４とは異なる複数の位置で、施錠子１４よりも図で見て右側の位置で半径方向で変位可能に設けられており、当該雌型管継手部材１０内に雄型管継手部材１２が挿入されてくると、該雄型管継手部材１２は、その先端で先ずこのボール１１を半径方向外側に押し出す。押し出されたボール１１は、スリーブ２２の施錠子解放凹部２４に隣接したテーパ面２５を押圧し、それによりスリーブ２２を図７で見て左方に変位させる。雄型管継手部材１２が更に進んで該施錠子１４に至ると、その時点では、テーパ面２５が施錠子１４と半径方向で整合するようにスリーブ２２が変位されており、該雄型管継手部材１２が更に進むと、この施錠子１４を半径方向外側に押し出してテーパ面２５を押圧するようにし、それによってスリーブは更に左方に変位されて、施錠子１４が施錠子解放凹部２４の位置となり、雄型管継手部材１２が雌型管継手部材１０内に更に進むのを可能とする。すなわち、この雌型管継手部材１０では、スリーブ２２を操作することなしに、雄型管継手部材の雌型管継手部材への挿入連結が可能となる。
【００３５】
この第２の実施形態においては、上述の第１の実施形態と同様に、スリーブ２２が回動可能とされ、雌型継手本体１９の外周面には第１の実施形態と同様の第１面３０と第２面３２が設けられており、また、雌型継手本体１９に設けられた筒状の係止部３４を有している。第１の実施形態と異なる点は、スリーブ変位阻止部材２８にある。すなわち、第２の実施形態に係るスリーブ変位阻止部材２８は、スリーブ２２の直径方向で反対側の位置に、その半径方向で貫通するように形成された一対の開口３６にそれぞれ半径方向で摺動可能にされた摺動ピン２８−１と、該摺動ピン２８−１の回りで該摺動ピン２８−１とスリーブ２２との間に設定されたバネ部材、具体的には圧縮コイルバネ２８−２とからなる。摺動ピン２８−１は、圧縮コイルバネ２８−２によって半径方向内側に付勢され、雌型継手本体１９の外周面と摺動可能とされている。摺動ピン２８−１は、円周面状の第１面３０と係合する位置（図９及び図１０）とされているときには、バネ部材２８−２に抗して押し出され、一部が該開口３６から半径方向外側に突出するようになされ、平面状とされた上記第２面３２と係合する位置（図７及び図８）とされているときには、摺動ピン２８−１が開口３６の内側に引き込まれるようにされている。
【００３６】
図１３乃至図１６は、本発明に係る雌型管継手部材１０の第３の実施形態を示している。この雌型管継手部材１０は、第２の実施形態とは異なりワンタッチ装着型ではなく、第１の実施形態と同じく、雄型管継手部材１２を装着するとき及び外すときには、作業者がスリーブ２２を軸線方向で変位する必要のあるものである。この実施形態では、基本的構成は第１の実施形態のものと同じであるが、スリーブ変位阻止部材２８と係合する雌型継手本体１９に設けられる係止部３４が相違している。
【００３７】
すなわち、この第３の実施形態では、施錠保持位置(図１３及び図１５)にあるときのスリーブ２２が周方向で変位されたときに捻りバネ状のスリーブ変位阻止部材２８と摺動する雌型継手本体１９の外周面に、上述の第１及び第２実施形態と同様に、円周面状の第１面３０と、該第１面に対して弦をなすように延びる平面状の第２面３２とが設けられるが、この弦をなすように延びる第２面３２の当該雌型継手部材継手本体１９における軸線方向での前後の側縁から半径方向外側に延びる側面３５が形成されるように凹部３７が形成され、スリーブ２２の開錠許容位置側にある側面３５を係止部３４としている。この場合、凹部３７の底面をなす第２面３２がスリーブ変位阻止部材２８を変形して係止部３４に係合可能とする面をなし、スリーブ変位阻止部材２８が該第２面３２と係合する位置となり、該係止部３４としての側面３５と係合することにより、スリーブ２２が施錠保持位置（図１３及び図１５）から該解錠許容位置に軸線方向で変位するのを阻止するようになっている。
【００３８】
図１７乃至図２０に示す第４の実施形態に係る雌型管継手部材は、第１の実施形態のものと類似するものであるが、第１の実施形態における第２面３２の一方の周方向端部（左端）と、それに続く円周面状の第１面３０との間に段部３３を設け、第２面３２の他方の端部（右端）から該第２面３２に入ってきたスリーブ変位阻止部材２８が、段部３３によって停止されるような形状とされている点で相違している。図１９及び図２０に示すように、コイル部３８から伸びる両端部４０は、コイル部３８から伸びて直ぐに直角に曲げられて、該コイル部３８の軸線と平行に、且つ、該コイル部３８とほぼ同じ長さだけ伸び、その先端で雌型継手本体１９の半径方向外側に上記段部３３と係合可能な高さだけ伸びた後、第１の実施例における両端部４０と同様の形態で伸びるようにされている。この実施形態では、スリーブを回動して、スリーブ変位阻止部材２８が第１面３０に係合する位置となったときに、該スリーブ変位阻止部材２８が上記段部３３と係合して、当該スリーブ変位阻止部材２８の動きを止め、それにより、作業者は、そのことを確認することができる。
【符号の説明】
【００３９】
雌型管継手部材１０；ボール１１;雄型管継手部材１２;ボール状の施錠子１４;貫通孔１８;雌型継手本体１９；施錠凹部２０；スリーブ２２；環状凹部２２−１；側壁２２−２，２２−３；施錠子解放凹部２４；テーパ面２５；コイルバネ２６；スリーブ変位阻止部材２８；摺動ピン２８−１；圧縮コイルバネ２８−２；第１面３０；第２面３２；段部３３；係止部３４；側面３５；開口３６；凹部３７；コイル部３８；両端部４０
【図１】
0005579027.tif 000002
【図２】
0005579027.tif 000003
【図３】
0005579027.tif 000004
【図４】
0005579027.tif 000005
【図５】
0005579027.tif 000006
【図６】
0005579027.tif 000007
【図７】
0005579027.tif 000008
【図８】
0005579027.tif 000009
【図９】
0005579027.tif 000010
【図１０】
0005579027.tif 000011
【図１１】
0005579027.tif 000012
【図１２】
0005579027.tif 000013
【図１３】
0005579027.tif 000014
【図１４】
0005579027.tif 000015
【図１５】
0005579027.tif 000016
【図１６】
0005579027.tif 000017
【図１７】
0005579027.tif 000018
【図１８】
0005579027.tif 000019
【図１９】
0005579027.tif 000020
【図２０】
0005579027.tif 000021
【図２１】
0005579027.tif 000022